(57)【要約】【課題】見栄え良く配線することができる棚装置を提供する。【解決手段】壁２に取り付けられる支持材６と、支持材６よりも左右幅が広く支持材６に取り付けられることで支持材６を室内側となる前側から覆う化粧パネル７と、支持材６で支持されて化粧パネル７の前方に配置される棚８を備える。化粧パネル７の支持材６より外側方に突出した部分に、化粧パネル７と壁２との間に形成された配線用空所３７に連通する配線引出口３８が形成される。棚８が配線引出口３８の前方に配置される。棚８に配線引出口３８を棚８の上方に連通させる配線通路６６が形成される。【選択図】図１
2010253067.tif 000002
【特許請求の範囲】
【請求項１】
壁に取り付けられる支持材と、支持材よりも左右幅が広く支持材に取り付けられることで支持材を室内側となる前側から覆う化粧パネルと、支持材で支持されて化粧パネルの前方に配置される棚を備え、化粧パネルの支持材より外側方に突出した部分に、化粧パネルと壁との間に形成された配線用空所に連通する配線引出口が形成され、前記棚が配線引出口の前方に配置され、棚に前記配線引出口を棚の上方に連通させる配線通路が形成されることを特徴とする棚装置。
【請求項２】
前記棚が、支持材に支持されると共に化粧パネルの前方に配置される棚板受けと、該棚板受け上に支持されて化粧パネルから前方に離れた位置に配置される棚板とで構成され、棚板受けに棚板と後方の化粧パネルの間に形成された隙間を配線引出口と連通させる配線通路が形成されることを特徴とする請求項１に記載の棚装置。
【請求項３】
前記化粧パネルの左右方向の中央部が支持材で支持されると共に、該化粧パネルの支持材より両外側方に突出した両側部分と壁の間に配線用空所が夫々形成され、前記化粧パネルの両側部分に対応する配線用空所に連通する配線引出口が夫々形成され、各配線引出口が前記配線通路を介して棚の上方に連通することを特徴とする請求項１又は請求項２に記載の棚装置。
【発明の詳細な説明】
【技術分野】
【０００１】
本発明は電気機器等を載置する棚装置に関する。
【背景技術】
【０００２】
液晶テレビやプラズマテレビ等の薄型テレビを壁に掛けて設置する場合、テレビの周辺機器となるＤＶＤプレーヤーやビデオデッキ等の電気機器を設置するために棚等が必要となる。
【０００３】
従来、特許文献１に示す棚装置が知られている。この棚装置は、左右一対の棚柱をビス等で壁に取り付けられる横繋ぎ材で繋ぎ、一対の棚柱に棚を突設してある。一対の棚柱の前面には棚柱の間に架け渡すように化粧パネルを取り付けてあり、この化粧パネルにより横繋ぎ材の前側が覆われている。また、化粧パネルの後方は棚に載置された電気機器とテレビを接続するための配線を通すための配線用空所として利用され、配線用空所に配置された配線は化粧パネルにて隠せるようになっている。
【先行技術文献】
【特許文献】
【０００４】
【特許文献１】特開２００６−６０７５４号公報
【発明の概要】
【発明が解決しようとする課題】
【０００５】
ところで、前記棚装置にあっては、配線用空所の配線を化粧パネルの側端部と棚柱の間から化粧パネルの前側に引き出し、これを棚に載置された電気機器に接続する。しかし、このようにすると化粧パネルの側方を回り込ませた長い配線が室内側に露出し、見栄えが良くない。
【０００６】
本発明は上記従来の事情に鑑みてなされたものであって、見栄え良く配線することができる棚装置を提供することを課題とする。
【課題を解決するための手段】
【０００７】
上記課題を解決するために本発明の棚装置は以下の構成を有する。壁２に取り付けられる支持材６と、支持材６よりも左右幅が広く支持材６に取り付けられることで支持材６を室内側となる前側から覆う化粧パネル７と、支持材６で支持されて化粧パネル７の前方に配置される棚８を備える。化粧パネル７の支持材６より外側方に突出した部分に、化粧パネル７と壁２との間に形成された配線用空所３７に連通する配線引出口３８が形成される。そして、前記棚８が配線引出口３８の前方に配置され、棚８に前記配線引出口３８を棚８の上方に連通させる配線通路６６が形成されることを特徴とする。
【０００８】
また、本発明の好ましい形態の棚装置は以下の構成を有する。前記棚８が、支持材６に支持されると共に化粧パネル７の前方に配置される棚板受け２８と、該棚板受け２８上に支持されて化粧パネル７から前方に離れた位置に配置される棚板２９とで構成される。棚板受け２８に棚板２９と後方の化粧パネル７の間に形成された隙間４８を配線引出口３８と連通させる配線通路６６が形成される。
【０００９】
また、本発明の好ましい形態の棚装置は以下の構成を有する。前記化粧パネル７の左右方向の中央部が支持材６で支持されると共に、該化粧パネル７の支持材６より両外側方に突出した両側部分と壁２の間に配線用空所３７が夫々形成される。また、前記化粧パネル７の両側部分に対応する配線用空所３７に連通する配線引出口３８が夫々形成され、各配線引出口３８が前記配線通路６６を介して棚８の上方に連通する。
【発明の効果】
【００１０】
本発明にあっては、化粧パネルと壁の間に形成された配線用空所を、化粧パネルの配線引出口と、棚に形成された配線通路を介して棚の上方に連通させることができ、配線用空所の配線を配線引出口及び配線通路を通して化粧パネルの側方を回りこませることなく棚上の電気機器に接続することができる。この場合、化粧パネルの配線引出口や配線引出口から引き出された配線を前方の棚やこれに載置した電気機器で隠すことができ、見栄えが良い。
【００１１】
また、棚板の下方の棚板受けに配線通路を形成することで、前側から見たときに棚板受け上の棚板やこれに載置された電気機器によって配線通路や該配線通路を通る配線が見え難くなり、さらに外観を向上できる。
【００１２】
また、支持材で化粧パネルの左右方向の中央部を支持することで、化粧パネルを支持材でバランス良く支持できる。また、化粧パネルの支持材より外側方に突出した両側部分の夫々と壁との間に形成された配線用空所に配線等を露出することなく配置でき、化粧パネルと壁の間を有効に利用できる。
【図面の簡単な説明】
【００１３】
【図１】本発明の実施形態の一例の棚装置を設置した状態を示す斜視図である。
【図２】同上の棚装置及びテレビを後側から見た斜視図である。
【図３】同上の棚装置及びテレビを下側から見た斜視図である。
【図４】同上の棚装置及びテレビを上側から見た斜視図である。
【図５】同上の棚装置の分解斜視図である。
【図６】同上の壁に設置した棚装置の側部の水平断面図である。
【図７】同上の配線カバーを示し、（ａ）は平面図であり、（ｂ）は側面図である。
【図８】同上の棚を上方から見た説明図である。
【発明を実施するための形態】
【００１４】
以下、添付図面に基づいて本発明の実施形態につき説明する。本実施形態の棚装置１は、図１乃至図４のように壁２に掛けた液晶テレビやプラズマテレビ等の薄型のテレビ３の下方に設置され、テレビ３の周辺機器となるＤＶＤプレーヤーやビデオデッキ等の電気機器４を載置するために用いられる。なお、テレビ３はテレビ掛け具を介して壁２に取り付けられる。
【００１５】
図２、図５等に示すように、棚装置１は、部屋の壁２及び床５に固着される上下に長い支持材６と、支持材６に取り付けられることで支持材６を室内側となる前側から覆う化粧パネル７と、支持材６で支持されて化粧パネル７の前方に配置される棚８と、化粧パネル７の背面の両側に着脱自在に取り付けられる配線カバー９を備えている。
【００１６】
支持材６は、壁２に固着される支柱１０と、支柱１０の下端部に取り付けられて床５に固着される幅木よけ１２とで構成される。
【００１７】
幅木よけ１２は上端部がビス等で支柱１０の下端部に取り付けられ、支柱１０の前部より下方に突出する。幅木よけ１２の後側には左右、下方、及び後方に開口する幅木用凹所１６が形成されている。また、幅木よけ１２の前側には左右、上方、及び前方に開口する配線用凹所１５が形成されている。
【００１８】
幅木よけ１２は幅木用凹所１６に壁２の下端部に設けられた幅木１１の長手方向の一部を通過させた状態でビス等の固着具によりその下端部が床５に固着される。なお、幅木よけ１２は床５に固着せず、床５上に載置するだけでもよい。また、本例の幅木よけ１２は支柱１０と別体であるが、支柱１０と一体に設けてもよい。
【００１９】
支柱１０は金属製で中空に形成され、背面部が壁２の幅木１１よりも上方の室内側の面に当接される、或いは壁２の近傍に配置される。支柱１０の両側面の後部の上下複数箇所には平面視Ｌ字状の取付具１３の一片が取り付けられる。各取付具１３の他片は背面を壁２に沿わせた状態でビス１４で壁２に取り付けられる。これによって支柱１０は両取付具１３を介して壁２に固着される。なお、支柱１０の上端部は前記テレビ掛け具に連結してもかまわない。
【００２０】
支柱１０の上部の一側面部はテーブルタップ５７が固定される取着部１７となっている。支柱１０の両側には平面視Ｌ字状の固定具１８が取り付けられる。両固定具１８は同一高さに取り付けられ、左右対称である。
【００２１】
各固定具１８はＬ字状の一片１８ａを支柱１０の前部両側面に沿わせてビス１９で取り付けることで支柱１０に固定される。各固定具１８の他片１８ｂには前後に貫通する横長で矩形状の固定具孔２０が形成されている。
【００２２】
化粧パネル７は正面視で支持材６よりも左右幅が広い矩形状のＭＤＦボードで形成される。化粧パネル７の中央部には前後に貫通する横長矩形状のパネル孔２２が形成されている。
【００２３】
化粧パネル７の背面の両側端部には配線カバー９を化粧パネル７に着脱自在に取り付けるための長尺な取着具２３が取り付けられる。
【００２４】
図６のように、各取着具２３は、化粧パネル７の背面にビス２５で固着される固着片２６と、固着片２６より化粧パネル７の外側方に向けて突出する挟持片２７とで構成され、挟持片２７は固着片２６よりも一段後方に位置する。
【００２５】
図３や図５等に示すように、棚８は、化粧パネル７から前方に突出する棚板受け２８と、棚板受け２８によって支持される棚板２９とで構成される。
【００２６】
棚板受け２８は、棚板２９を受ける受け具３０と、受け具３０の後端部上に取り付けられる樹脂製のキャップ３１で構成される。
【００２７】
受け具３０は金属板からなり、化粧パネル７を介して両固定具１８に取り付けられる取付部３２と、取付部３２から前方に突出する受け部３３で構成されている。
【００２８】
取付部３２は化粧パネル７の前面に沿う横長板状に形成されている。取付部３２の左右方向の中央部には上方に開口して化粧パネル７のパネル孔２２と略同大同形の切欠部３５（図２参照）が形成されている。
【００２９】
棚板受け２８を両固定具１８に取り付けるには、まず、化粧パネル７の背面を両固定具１８の他片１８ｂの前面に当接すると共に、該化粧パネル７のパネル孔２２の両側部分を各固定具１８の固定具孔２０と正面から見て重複させる。次に、棚板受け２８の後端の取付部３２を切欠部３５が化粧パネル７のパネル孔２２と重複するよう化粧パネル７の前面に当接する。そして、前側から取付部３２、化粧パネル７、各固定具１８の他片１８ｂに順に挿通した複数のビス３６により、取付部３２を両固定具１８に締結して、取付部３２と両固定具１８で化粧パネル７を挟持する。
【００３０】
つまり、棚板受け２８は化粧パネル７を介して支柱１０に取り付けられ、棚板受け２８の取付部３２、固定具１８、及びビス３６は化粧パネル７を支持材６に取り付けるための取付手段を兼ねている。
【００３１】
このようにして取り付けられた化粧パネル７は、上端部が壁２に取り付けられた上方のテレビ３の下端よりもやや上方に配置され、支柱１０の上端部を除く大部分を前側から覆う。なお、化粧パネル７は支柱１０の全体を前側から覆うものであってもかまわない。また、化粧パネル７の下端部はビスを用いて幅木よけ１２に取り付けられるが、化粧パネル７は前記固定具１８にのみ取り付けられるものであってもよい。
【００３２】
化粧パネル７は、両側が支持材６よりも外側方に突出し、これら突出部分と後方の壁２の間には配線やテーブルタップ５７等を収容する配線用空所３７（図２、図６参照）が形成される。両配線用空所３７はこの間の支持材６で仕切られるが、幅木よけ１２の配線用凹所１５を介して連通する。
【００３３】
化粧パネル７のパネル孔２２の左右方向の中央部は後方の支柱１０によって塞がれる。パネル孔２２の中央部を挟んだ両側部分は支柱１０よりも外側方に位置して配線引出口３８を構成する。各配線引出口３８は対応する固定具１８の固定具孔２０を介して配線用空所３７に連通する。
【００３４】
図５のように受け具３０の受け部３３は、切欠部３５の両側の側縁及び下縁の夫々から前方に突出する側板部３９及び底板部４０と、両側板部３９の上縁から外側方に突出する支持片部４１とで構成されている。
【００３５】
両側板部３９の下縁同士は底板部４０で接続されている。受け部３３内には両側板部３９及び底板部４０で囲まれた上方に開口する凹所４２が形成されている。凹所４２は切欠部３５を通じてパネル孔２２に連通する。
【００３６】
底板部４０は後下がりで傾斜し、各側板部３９は底板部４０の側縁に接続される下縁を斜片とした略直角三角形状をしている。底板部４０の前縁や両側板部３９の上縁は切欠部３５の上端と略同一高さに位置している。底板部４０はパネル孔２２の前方に位置し、切欠部３５及びこれと重複するパネル孔２２を前方から覆う。
【００３７】
各支持片部４１は、側板部３９の前端から後端よりやや前寄りの位置まで亘って設けられ、側板部３９の後端部には設けられない。
【００３８】
キャップ３１の両側端部は受け具３０の各側板部３９の上縁の後端部に取り付けられ、凹所４２の後端部を上から覆う。キャップ３１の上面は切欠部３５及びこれと重複するパネル孔２２よりも上方に位置する。
【００３９】
キャップ３１の後部には横長矩形状で上下に貫通するキャップ孔４３が形成されている。キャップ孔４３は前記凹所４２の後端部に連通し、該キャップ孔４３と凹所４２で配線通路６６を構成している。
【００４０】
棚板２９は木製で棚板受け２８よりも左右幅の大きい矩形状に形成されている。棚板２９は凹所４２を上方から覆うように棚板受け２８の両支持片部４１上に載置され、取り付けられる。
【００４１】
図８のように棚板２９の両側の前後２箇所、計４箇所には上下に貫通する通孔４６が形成されている。これに対して、棚板受け２８の両支持片部４１には、各通孔４６に対応する計４個の上下に貫通するビス孔４７の組が前後にずらして複数組（図示例では２組）形成されている。
【００４２】
棚板２９は棚板受け２８の両支持片部４１上に載置され、各通孔４６及び対応するビス孔４７に挿入したビス６７を用いて両支持片部４１に固着することにより、棚板受け２８に取り付けられる。
【００４３】
棚板２９は、各通孔４６に挿通したビス６７を棚板受け２８の任意の組のビス孔４７に挿入することで、棚板受け２８に対して前後方向の取り付け位置を変更できるようになっている。
【００４４】
すなわち、後側の組の４個のビス孔４７にビス６７を挿入すれば、図１の二点鎖線又は図８の実線で示す後側の位置に棚板２９を取り付けることができる。また、前側の組の４個のビス孔４７にビス６７を挿入すれば、図１の実線又は図８の二点鎖線で示す前側の位置に棚板２９を取り付けることができる。
【００４５】
図１に示すように棚板２９を棚板受け２８に取り付けた状態では、常に棚板２９が化粧パネル７の前方に離間して配置されるよう設定してあり、棚板２９と化粧パネル７の前面の間には隙間４８が形成される。棚板２９はキャップ孔４３よりも前方に位置するよう設定してあり、キャップ孔４３の上方が棚板２９によって塞がれないようになっている。
【００４６】
隙間４８は配線通路６６を介してパネル孔２２の両側部分で構成される各配線引出口３８に連通する。棚板２９の上面はキャップ孔４３よりも上方に位置し、前側からキャップ孔４３が見え難くなっている。
【００４７】
図６及び図７に示すように、各配線カバー９は、対応する配線用空所３７を外側方から覆うカバー部４９と、カバー部４９の前縁から化粧パネル７の内側方に向けて突出して化粧パネル７の背面に沿わせられる差込片部５０とで構成されている。
【００４８】
差込片部５０には後方に突出する嵌込部５１が形成されている。各配線カバー９を化粧パネル７に取り付けるには、差込片部５０を、対応する取着具２３の挟持片２７と化粧パネル７の背面との間に形成された外側方に開口する差込溝５２に挿入し、該差込片部５０を挟持片２７と化粧パネル７で挟持する。また、嵌込部５１を取着具２３の挟持片２７の前面に上下に亘って形成された嵌込溝部５３に嵌め込む。これにより各配線カバー９は化粧パネル７に着脱自在に取り付けられる。
【００４９】
各配線カバー９ａ、９ｂの下端は床５に当接する、又は床５の近傍に配置される。各配線カバー９のカバー部４９は、化粧パネル７の背面から後方に突出する前部４９ａと、前部４９ａから化粧パネル７の内側の斜め後方に向けて突出する後部４９ｂで構成されている。
【００５０】
後部４９ｂの先端部は他部よりも薄肉で弾性変形しやすい弾接部５５となっており、弾接部５５は図６のように弾接部５５を弾性変形させて壁２に接触する。カバー部４９の下端部には後方及び下方に開口する幅木用切欠５６が形成されており、各配線カバー９の幅木用切欠５６には壁２に設けられた幅木１１を左右方向に通過させる。
【００５１】
図２のように、両配線カバー９のうち、テーブルタップ５７が配置される配線用空所３７を塞ぐ一方の配線カバー９ａのカバー部４９においてテーブルタップ５７に対応する上部には作業用開口５８が形成される。作業用開口５８は、配線用空所３７の上部を外側方に開放し、支持材６にテーブルタップ５７を取り付ける際や、支持材６に取り付けられたテーブルタップ５７に配線を接続する際に、配線用空所３７に手を入れるために利用される。
【００５２】
棚装置１を設置するには、壁２に取付具１３を用いて支持材６を取り付け、この後、支持材６に棚８及び化粧パネル７を固定具１８を用いて取り付ける。このように設置された棚装置１の化粧パネル７と壁２との間には各配線用空所３７が形成され、各配線用空所３７には配線やテーブルタップ５７が収納される。
【００５３】
各配線用空所３７には、配線として、前記テーブルタップ５７の電源線６３に加えて、テレビ３と電気機器４を接続する信号線等の接続配線６４、電気機器４とチューナーを接続するアンテナ線６５、テレビ３の電源線６０、電気機器４の電源線６１等が通される。
【００５４】
例えばテレビ３に接続される電源線６０及び接続配線６４は、テレビ３のある上方から配線用空所３７に導入される。このうち電源線６０のプラグは配線用空所３７においてテーブルタップ５７のコンセントに接続される。他方、接続配線６４は、配線引出口３８、配線通路６６、及び隙間４８を通して棚８の上方に引き出され、そのコネクターが棚８上の電気機器４に接続される。
【００５５】
電気機器４に接続される電源線６１及びアンテナ線６５は、隙間４８、配線通路６６、及び配線引出口３８を介して配線用空所３７に導入される。電源線６１は配線用空所３７においてテーブルタップ５７のコンセントに接続される。
【００５６】
配線用空所３７に導入されたアンテナ線６５や、テーブルタップ５７の電源線６３は、配線カバー９の下端と床５とのわずかな隙間から引き出されて、壁２に設けられたチューナーやコンセントに接続される。また、配線用空所３７内の配線は幅木よけ１２の配線用凹所１５を通して他の配線用空所３７に導入できるようにもなっている。
【００５７】
以上説明した本例の棚装置１にあっては、化粧パネル７と壁２の間に形成された配線用空所３７に配線やテーブルタップ５７を配置し、これら配線やテーブルタップ５７を化粧パネル７と両側の配線カバー９で隠すことができる。
【００５８】
また、配線引出口３８及び配線通路６６を利用して、配線用空所３７の配線を化粧パネル７の側方を回りこませることなく棚８上の電気機器４に接続することができる。そして、この場合、化粧パネル７の配線引出口３８の前方には棚８が配置されるので、棚板受け２８の底板部４０と両側板部３９によって、化粧パネル７の配線引出口３８の前側、及び配線引出口３８から配線通路６６に引き出された配線を覆うことができ、見栄えの良い外観とすることができる。また、配線を短くできるといった利点もある。
【００５９】
また、棚板受け２８に配線通路６６を形成することで、前側から見たときに棚板受け２８上の棚板２９やこれに載置された電気機器４によって配線通路６６や配線通路６６を通る配線を隠すことができ、さらに外観の良いものとすることができる。
【００６０】
また、支持材６で化粧パネル７及び棚８の左右方向の中央部を支持することで、化粧パネル７及び棚８を支持材６でバランス良く支持できる。また、化粧パネル７の支持材６より外側方に突出した両側部分の夫々と壁２との間に形成された配線用空所３７に配線等を露出することなく配置でき、化粧パネル７と壁２の間を有効に利用できる。
【符号の説明】
【００６１】
１  棚装置
２  壁
６  支持材
７  化粧パネル
８  棚
２８  棚板受け
２９  棚板
３７  配線用空所
３８  配線引出口
４８  隙間
６６  配線通路
【図１】
2010253067.tif 000003
【図２】
2010253067.tif 000004
【図３】
2010253067.tif 000005
【図４】
2010253067.tif 000006
【図５】
2010253067.tif 000007
【図６】
2010253067.tif 000008
【図７】
2010253067.tif 000009
【図８】
2010253067.tif 000010